(57)【要約】      （修正有）【課題】安全で誰もが手軽で楽に転圧作業が出来、且つ、操作性・耐久性・経済性に優れた地盤転圧装置を提供する。【解決手段】空圧式打撃装置本体Ｓ１と、空圧式打撃装置の先端部に挿着する直線型長尺棒部材Ｓ２と、該直線型長尺棒部材の先端部に係止・固定して地盤を転圧する転圧用具Ｓ３から成る転圧部材を設けたものである。又、転圧部材は、直線型長尺棒部材と転圧用具、或いは、屈折型長尺棒部材と転圧用具のいずれかから成り、現場の地盤状況に応じて使い分けて使用するものである。【選択図】図１
0003168480.tif 000002
【実用新案登録請求の範囲】
【請求項１】
建柱工事用の孔掘削後に掘削孔を埋め戻したり、地盤を突き固めたりする為に使用する転圧装置であって、該装置（Ｓ）は空圧式打撃装置本体（Ｓ１）と、空圧式打撃装置の先端部に挿着する長尺棒部材と、長尺棒部材の先端部に係止・固定して地盤を転圧する転圧用具から成る転圧部材を設けた事を特徴とする地盤転圧装置。
【請求項２】
転圧部材は、直線型長尺棒部材（Ｓ２）と転圧用具（Ｓ３）、或いは、屈折型長尺棒部材（Ｓ２'）と転圧用具（Ｓ３）のいずれかから成り、現場の地盤状況に応じて使い分けて使用することを特徴とする請求項１記載の地盤転圧装置。
【考案の詳細な説明】
【技術分野】
【０００１】
この考案は、建柱工事用の孔掘削後に掘削孔を埋め戻したり、地盤を突き固めたりする為に使用する地盤転圧装置に関するものである。
【背景技術】
【０００２】
従来、建柱工事の際、建柱穴を掘削後、掘削穴を埋め戻す為に、人力により棒を使用して土を突き固めている。その為、どうしても均一な力が加えられない為、地盤が陥没する事があり、大きな問題に成っている。
【０００３】
又、建柱工事そのものが重労働で、高齢化による体力不足もあり、且つ、人力作業となると益々疲労度が増し、疲れて作業も捗らない為、作業時間が予定を超え長く成る等の問題がある。
【０００４】
そこで、少しでも建柱工事を効率良く行い、且つ、高齢者でも安全で楽に転圧作業が出来る為の地盤転圧装置の早期開発・提供が望まれている。
【先行技術文献】
【特許文献】
【０００５】
そこで、この考案の転圧装置に関する特許文献を参考の為、紹介する。（特許文献１〜２参照。）
【特許文献１】特開２０００−０６４３３５
【特許文献２】特開２００２−１３８４１０
【考案の概要】
【考案が解決しようとする課題】
【０００６】
そこで、上記課題を解決する為に、この考案は安全で誰もが手軽で楽に転圧作業が出来、且つ、操作性・耐久性・経済性に優れた地盤転圧装置を開発・提供する事にある。
【課題を解決するための手段】
【０００７】
この課題を解決するための手段として、空圧式打撃装置本体と、空圧式打撃装置の先端部に挿着する長尺棒部材と、長尺棒部材の先端部に係止・固定して地盤を転圧する転圧用具から成る転圧部材を設けたものである。
【０００８】
又、転圧部材は、直線型長尺棒部材と転圧用具、或いは、屈折型長尺棒部材と転圧用具のいずれかから成り、現場の地盤状況に応じて使い分けて使用するものである。
【考案の効果】
【０００９】
この考案の効果として、空圧式打撃装置本体と、空圧式打撃装置の先端部に挿着する長尺棒部材と、長尺棒部材の先端部に係止・固定して地盤を転圧する転圧用具から成る転圧部材を設け、又、転圧部材は、直線型長尺棒部材と転圧用具、或いは、屈折型長尺棒部材と転圧用具のいずれかから成り、現場の地盤状況に応じて使い分けて使用する事で、安全で誰もが手軽で楽に転圧作業が出来、且つ、操作性・耐久性・経済性に優れ、転圧ムラを無くし、陥没事故等の発生を防止する等、極めて有益なる効果を奏するものである。
【図面の簡単な説明】
【００１０】
【図１】この考案の一実施例を示し、地盤転圧装置の全体図を示し、空圧式打撃装置本体部は側面視断面図である。
【図２】この考案の一実施例を示し、（Ａ）は図１のａ矢視図で、（Ｂ）は図１のｂ−ｂ矢視断面図である。
【図３】この考案の一実施例を示し、（Ａ）は転圧用具付の直線型長尺棒部材の正面図で、（Ｂ）は側面図である。
【図４】この考案の使用例を示し、直線型長尺棒部材を使用した転圧作業状況図である。
【図５】この考案のその他の実施例を示し、屈折型長尺棒部材を使用時の地盤転圧装置全体の背面図を示す。
【図６】この考案のその他の使用例を示し、屈折型長尺棒部材を使用時の転圧作業状況図である。
【考案を実施するための形態】
【００１１】
この考案を実施するための形態として、建柱工事用の孔掘削後に掘削孔を埋め戻したり、地盤を突き固めたりする為に使用する転圧装置であって、該装置（Ｓ）は空圧式打撃装置本体（Ｓ１）と、空圧式打撃装置の先端部に挿着する長尺棒部材と、長尺棒部材の先端部に係止・固定して地盤を転圧する転圧用具から成る転圧部材を設けた事を特徴とする地盤転圧装置から構成される。
【００１２】
又、転圧部材は、直線型長尺棒部材（Ｓ２）と転圧用具（Ｓ３）、或いは、屈折型長尺棒部材（Ｓ２'）と転圧用具（Ｓ３）のいずれかから成り、現場の地盤状況に応じて使い分けて使用することを特徴とする地盤転圧装置から構成される。
【実施例１】
【００１３】
そこで、この考案の一実施例を図１〜図３に基づいて詳述すると、まず空圧式打撃装置（Ｓ１）の寸法・形状及び主仕様について述べると、図１に示すように、全長約３２０ｍｍ×幅約１４５ｍｍに形成され、本体質量が約４．５Ｋｇで、ピストン径φ２４ｍｍ、ピストンストローク５８ｍｍ、打撃数２８００ｂ／ｍｉｎ、空気消費量０．４５ｍ3／ｍｉｎ、エアーホース内径φ１２．７ｍｍの市販のチッピングエアーハンマーを使用する。尚、前記チッピングエアーハンマーの仕様については、使用する現場の状況に応じて変更しても構わないが、その際には、その仕様に適応した転圧用具（屈折型長尺棒部材、転圧用具、左右・上下移動式横振れ防止用案内取手）に変更する必要がある。
【００１４】
そして、上記の空圧式打撃装置の先端部には、図３に示す様に、直線型の長尺棒部材（Ｓ２）と、長尺棒部材の先端部に装着する転圧用具（Ｓ３）とをそれぞれ組み合わせた転圧用具を装着して使用するものである。尚、前記の長尺棒部材の全長は１．５ｍと２．２ｍの２種類有り、現場の状況に応じて使い分けることが可能である。
【００１５】
上記の長尺棒部材（Ｓ２）と転圧用具（Ｓ３）は、当然ながら長期使用すると摩耗や折損等が生じる為、着脱可能に設けられ、部材の表面には熱処理加工が施されている。
【００１６】
次に、空圧式打撃装置（Ｓ１）と直線型の長尺棒部材（Ｓ２）の組付け手順について説明すると、まず空圧式打撃装置本体の先端部に装着されているスプリングリテーナー（２２）を本体のシリンダー（１５）から取り外し、スプリングがシリンダーの溝に嵌挿されているので、叩いて溝のロック部から取り外し、更に左方向に廻しながら取り出す。そして、直線型の長尺棒部材（Ｓ２）をスプリングリテーナー（２２）に組み付け、更に直線型の長尺棒部材（Ｓ２）のシャンク部をシリンダー本体先端部のブッシング（１７）穴部に挿入する。そして、最後に長尺棒部材（Ｓ２）先端のテーパー部に転圧用具（Ｓ３）を挿着して完了する。
【００１７】
次に、詳細は図示していないが、空圧式打撃装置本体（Ｓ１）給気部へのショートホース組付け手順について説明すると、まず空圧式打撃装置本体（Ｓ１）給気部のニップル（ＰＴ３／８メネジ）にショートホース（ＰＴ３／８オネジ）をねじ込み、ショートホース逆側のワンタッチカプラープラグにソケット（３０ＳＭ）をセットする。そして、ソケットの（３０ＳＭ）のオネジ（ＰＴ３／８）にブッシング（ＰＴ３／８メネジ×ＰＴ３／４オネジ）を組み付ける。更に、ブッシング（ＰＴ３／４オネジ）に１９ｍｍのホーススパットを組み付け、全体をバイス台等で固定し、十分締め込み、ヤア―漏れの無いよう確実に締める。そして、最後にエアーホース（１９ｍｍ）末端のホースナット部をショートホース先端に取り付けたホーススパットに取り付けてホースの組み付けを完了する。
【００１８】
次に、この考案の使用方法について説明すると、最初にエアーコンプレッサーと空圧式打撃装置間をエアーホースで接続後、空圧式打撃装置の先端部に転圧用具を底板凹部が先手側（電柱側）になるようにして装着する。そして、図４に示す様に、右手で空圧式打撃装置本体（Ｓ１）の取手部を把持し、左手で地盤転圧装置の長尺棒部材（Ｓ２）を軽く握って支持し、且つ、建柱用の掘削穴部に差し込んだ電柱（ＵＰ）の周囲に埋土（ＢＥ）を徐々に所定の深さまで埋設しながら地盤転圧装置を使用して、電柱（ＵＰ）の全周の埋土（ＢＥ）が均一の硬さに成るように電柱（ＵＰ）の周囲を移動しながら徐々に押し固めていく。そして、地表面から所定深さまで押し固め作業が完了したら、最後にコンクリートやアスファルト等の舗装材を埋設して表面を仕上げて完了する。
【実施例２】
【００１９】
その他の実施例として、上記の実施例１では、直線型長尺棒部材（Ｓ２）を使用して転圧作業を行ったが、図４で示すように直線型長尺棒部材（Ｓ２）を使用すると、転圧作業時に作業者の頭を電柱（ＵＰ）にぶつける可能性がある為、地盤転圧装置の長尺棒部材を屈折型にし、且つ、作業性をより良くする為に、屈折型長尺棒部材（Ｓ２'）の中間部に左右・上下移動式横振れ防止用案内取手（Ｓ４）を設け、更に屈折型長尺棒部材（Ｓ２'）の先端部に転圧用具（Ｓ３）を設けたものである。
【００２０】
図６に示すように、屈折型長尺棒部材を挿着した地盤転圧装置を使用すれば、作業中に作業者（Ｗ）が電柱（ＵＰ）に頭をぶつけることを解消し、且つ、横振れ防止用案内取手（Ｓ４）が有る為、作業性も一段とよくなる等の特長がある。但し、欠点としては、上記の直線型長尺棒部材に比較すると、若干の打撃性能が低減される為、どちらを使用するかは、状況に応じて適宜選択する必要がある。
【００２１】
次に、図５に示す屈折型長尺棒部材（Ｓ２'）を挿着した地盤転圧装置を使用する際の使用方法を説明すると、地盤転圧装置は作業者の使い勝手に合わせて、一方側の片手で空圧式打撃装置本体（Ｓ１）の取手部を把持し、且つ、他方側の片手で横振れ防止用案内取手（Ｓ４）を把持して屈折型長尺棒部材（Ｓ２'）を安定支持し、使用状況に応じて空圧式打撃装置本体（Ｓ１）の始動用レバーを開閉操作しながら埋土（ＢＥ）を転圧していく。そして、地表面から所定深さまで押し固め作業が完了したら、前記、実施例１と同様に、最後にコンクリートやアスファルト等の舗装材を埋設して土の表面を仕上げて完了する。
【００２２】
尚、本地盤転圧装置は建柱時のみに限らず、電柱を撤去した時等、その他の工事にも転用して使用することも可能である。
【産業上の利用可能性】
【００２３】
この考案の地盤転圧装置は、安全で誰もが手軽で楽に転圧作業が出来、且つ、操作性・耐久性・経済性に優れている為、製造・販売する事で産業上の利用可能性を有する。
【符号の説明】
【００２４】
１  ハンドル
２  レバー
３ａ  レバーピン
３ｂ  レバー受けピン
４  スロットルバルブ
５  スロットルバルブブッシング
６  スロットルバルブスプリング
７  スロットルバルブキャップ
８  ブッシュロッド
９  ブッシュロッドスリーブ
１０  ネジブッシュ
１１  ホースステム
１２  バルブ
１３  バルブボックス
１４  バルブノック
１５  シリンダー
１６  ピストン
１７  ブッシュ
１８  クラッチ
１９  クラッチバンド
２０  クラッチキ―
２１  エキゾーストバンド
２２  スプリングリテーナー
２３  プラグ
ＢＥ  埋土
Ｓ１  空圧式打撃装置本体
Ｓ２  直線型長尺棒部材
Ｓ２'  屈折型長尺棒部材
Ｓ３  転圧用具（直線型と屈折型兼用）
Ｓ４  左右・上下移動式横振れ防止用案内取手
ＵＰ  電柱
Ｗ  作業者
【図１】
0003168480.tif 000003
【図２】
0003168480.tif 000004
【図３】
0003168480.tif 000005
【図４】
0003168480.tif 000006
【図５】
0003168480.tif 000007
【図６】
0003168480.tif 000008
【手続補正書】
【提出日】平成23年3月31日(2011.3.31)
【手続補正１】
【補正対象書類名】実用新案登録請求の範囲
【補正対象項目名】全文
【補正方法】変更
【補正の内容】
【実用新案登録請求の範囲】
【請求項１】
建柱工事用の孔掘削後に掘削孔を埋め戻したり、地盤を突き固めたりする為に使用する転圧装置であって、該装置（Ｓ）は空圧式打撃装置本体（Ｓ１）と、空圧式打撃装置の先端部に挿着する長尺棒部材と、先端に地盤を転圧する平板を有し、中央部に長尺棒部材を差し込むためのホルダーを設け、該ホルダーに長尺棒部材の先端部を係止・固定した転圧用具（Ｓ３）からなることを特徴とする地盤転圧装置。
【請求項２】
転圧用具（Ｓ３）は、現場の地盤状況に応じて、直線型の長尺棒部材（Ｓ２）、あるいは、屈折型の長尺棒部材（Ｓ２'）のいずれかを、係止・固定し、使い分けて使用することを特徴とする請求項１記載の地盤転圧装置。